(57)【要約】【課題】本発明は、回転に対する可変抵抗を有する光学装置ノブを提供する。【解決手段】光学装置ハウジングが、この光学装置ハウジングから回転自在に延びるポストと、この光学装置ハウジングから固定された形で延びるスリーブとを有する。このスリーブは、ポストの周りに配置されており、及び、ノブがポストに連結されている。ナットが、スリーブに回転自在に係合し、及び、ノブと共に回転するように構成されている。調整ねじがナットにねじ込み係合させられており、及び、ノブと共に回転するようにノブに係合する。ねじ軸線を中心とした調整ねじの回転が、ナットとスリーブとの間の摩擦抵抗を増大させる。【選択図】図２Ｂ
2018071965.tif 000002
【特許請求の範囲】
【請求項１】
光学装置ハウジングと、
前記光学装置ハウジングから回転自在に延びるポストと、
前記光学装置ハウジングから固定された形で延びており且つ前記ポストの周りに配置されているスリーブと、
前記光学装置ハウジングに対して相対的に回転自在であるように前記ポストに連結されているノブと、
前記スリーブに回転自在に係合させられており且つ前記ノブと共に回転するように構成されているナットと、
ねじ軸線を備える調整ねじであって、前記ナットにねじ込み係合させられ、前記ノブと共に回転するように前記ノブに係合させられており、前記ねじ軸線を中心とした前記調整ねじの回転が前記ナットと前記スリーブとの間の摩擦抵抗を増大させる、調整ねじと、
を備えることを特徴とする装置。
【請求項２】
前記ポストはポスト軸線を備え、前記ポストと前記ノブと前記ナットの各々が前記ポスト軸線を中心にして中心合わせされ、前記ポスト軸線は前記調整ねじの軸線に対して概ね平行である、ことを特徴とする請求項１に記載の装置。
【請求項３】
前記ナットは前記調整ねじをねじ込み式に受け入れるための開口部を画定する、ことを特徴とする請求項２に記載の装置。
【請求項４】
前記ねじ軸線を中心とした前記調整ねじの回転は、前記調整ねじの軸線に沿って且つ前記開口部内において前記調整ねじを移動させる、ことを特徴とする請求項３に記載の装置。
【請求項５】
前記ナットは分割ナットを備える、ことを特徴とする請求項３に記載の装置。
【請求項６】
前記分割ナットは第１の部分と第２の部分とを備え、該第１の部分と該第２の部分の各々は前記スリーブにねじ込み係合させられ、前記第１の部分は前記開口部を画定する、ことを特徴とする請求項５に記載の装置。
【請求項７】
前記ねじ軸線を中心とした前記調整ねじの回転が、前記調整ねじの軸線に沿って前記調整ねじを移動させて前記第２の部分に接触させる、ことを特徴とする請求項６の記載の装置。
【請求項８】
前記ナットは前記スリーブにねじ込み係合させられている、ことを特徴とする請求項１に記載の装置。
【請求項９】
光学装置ハウジングと、
前記光学装置ハウジングから回転自在に延びるポストと、
前記光学装置ハウジングから固定された形で延びており且つ前記ポストの周りに配置されているスリーブであって、前記ポストとこのスリーブとが共通軸線を中心に中心合わせされているスリーブと、
前記光学装置ハウジングに対して相対的に回転自在であるように前記ポストに連結されているノブと、
前記スリーブに係合させられており且つ前記ノブと共に回転するように構成されているナットと、
前記共通軸線に対して概ね平行であるねじ軸線を備える調整ねじであって、前記ねじ軸線に沿って前記ナットに係合するように構成されており、前記ねじ軸線を中心とした前記調整ねじの第１の方向の回転が前記ナット及び前記スリーブ上の嵌合ねじ山の間の摩擦抵抗を増大させるように前記ナットに力を及ぼす、調整ねじと、
を備えることを特徴とする装置。
【請求項１０】
前記ナット及び前記スリーブの各々は嵌合ねじ山を備え、位置調整要素の第２の方向の回転が前記ナット及び前記スリーブ上の前記嵌合ねじ山の間の摩擦抵抗を減少させる、ことを特徴とする請求項９に記載の装置。
【請求項１１】
前記第２の方向の回転は前記ナットの少なくとも一部分から前記調整ねじを完全に釈放する、ことを特徴とする請求項１０に記載の装置。
【請求項１２】
前記調整ねじは前記ナットにねじ込み係合させられ、前記ナットの中に受け入れられている、ことを特徴とする請求項９に記載の装置。
【請求項１３】
前記ナットは前記スリーブの周りに配置されている、ことを特徴とする請求項９に記載の装置。
【請求項１４】
前記ナットは分割ナットである、ことを特徴とする請求項１３に記載の装置。
【請求項１５】
前記調整ねじは前記ノブの頂部部分から作動させられる、ことを特徴とする請求項９に記載の装置。
【請求項１６】
前記調整ねじは歯車を手動で回転させることによって作動させられる、ことを特徴とする請求項１５に記載の装置。
【請求項１７】
光学装置ハウジングと、
前記光学装置ハウジングから延びる軸線を中心として回転自在であるポストと、
前記光学装置ハウジングから固定された形で延びており且つ前記ポストの周囲に配置されているスリーブであって、前記ポストとスリーブとが１つの軸線を中心として中心合わせされているスリーブと、
前記光学装置ハウジングに対して相対的に回転自在であるように前記ポストに連結されているノブと、
前記スリーブに回転自在に係合させられており且つ第１の部分と第２の部分とを有する、分割ナットと、
前記分割ナットに係合させられている調整ねじであって、該調整ねじの回転が、前記軸線に対して平行な少なくとも１つの方向に前記分割ナットを移動させる一方で、前記分割ナットを回転させることはない、調整ねじと、
を備えることを特徴とする装置。
【請求項１８】
第１の調整ねじの位置において、前記調整ねじは、前記第１の部分の中にねじ込み式に受け入れられ、前記第２の部分から釈放されている、ことを特徴とする請求項１７に記載の装置。
【請求項１９】
第２の調整ねじの位置において、前記調整ねじは、前記第１の部分の中にねじ込み式に受け入れられ、前記分割ナット及び前記スリーブの嵌合ねじ山の間に第１の摩擦抵抗を生じさせるように前記第２の部分と係合させられている、ことを特徴とする請求項１８に記載の装置。
【請求項２０】
第３の調整ねじの位置において、前記調整ねじは、前記第１の部分の中にねじ込み式に受け入れられ、前記分割ナット及び前記スリーブの嵌合ねじ山の間に第２の摩擦抵抗を生じさせるように前記第２の部分と係合させられており、前記第２の摩擦抵抗は前記第１の摩擦抵抗よりも大きい、ことを特徴とする請求項１９に記載の装置。
【発明の詳細な説明】
【技術分野】
【０００１】
本発明は、回転に対する可変抵抗を有する光学装置ノブに関する。
【背景技術】
【０００２】
ライフル銃又は銃器において照準を合わせるには、幾つかの環境的なタイプの要因と他のタイプの要因とを考慮する必要がある。ライフル銃から意図された標的へと銃弾が移動する時に、幾つかの力がその銃弾の飛行に影響を与える。銃弾が銃器から標的へ移動するにつれて、重力が銃弾の高さの低下を生じさせる。図１Ａに示されているように、ハンター１００が自分の標的１０２の近くにいる場合には、銃弾は、弾道１０４によって示されているように、ごくわずかしか降下しない。図１Ｂにおいて弾道１０６によって示されているように、距離が離れるにつれて、重力が、より著しい弾丸の高さ低下を生じさせる。ライフル銃望遠照準器（ｒｉｆｌｅｓｃｏｐｅ）のような光学装置が、ライフルを正確に照準するために使用される。
【発明の概要】
【課題を解決するための手段】
【０００３】
本技術は、その一態様では、光学装置ハウジングと、この光学装置ハウジングから回転自在に延びるポストと、光学装置ハウジングに固定された形で延びており且つポストの周りに配置されているスリーブと、光学装置ハウジングに対して相対的に回転自在であるようにポストに連結されているノブと、スリーブに対して回転自在に係合させられており且つノブと共に回転するように構成されているナットと、ねじ軸線を有する調整ねじであって、ナットにねじ込み係合させられており、且つ、ノブと共に回転するようにノブに係合させられており、及び、ねじ軸線を中心とした調整ねじの回転が、ナットとスリーブとの間の摩擦抵抗を増大させる調整ねじとを有する装置に関する。一例では、ポストはポスト軸線を含み、及び、ポストとスリーブとノブとナットの各々がポスト軸線を中心にして中心合わせされており、ポスト軸線は調整ねじの軸線に対して概ね平行である。別の例では、ナットは、調整ねじをねじ込み式に受け入れるための開口部を画定する。さらに別の例では、ねじ軸線を中心とした調整ねじの回転が、調整ねじの軸線に沿って且つ開口部内において調整ねじを移動させる。さらに別の例では、ナットは分割ナットを含む。
【０００４】
上記態様の別の例では、分割ナットは第１の部分と第２の部分とを含み、第１の部分と第２の部分の各々はスリーブにねじ込み係合させられており、第１の部分は開口部を画定する。一例では、ねじ軸線を中心とした調整ねじの回転が、調整ねじの軸線に沿って調整ねじを移動させて第２の部分と接触させる。別の例では、ナットは、スリーブとねじ込み係合させられている。
【０００５】
別の態様では、本技術は、光学装置ハウジングと、この光学装置ハウジングから回転自在に延びるポストと、固定された形で光学装置ハウジングから延びており且つポストの周りに配置されているスリーブであって、ポストとスリーブとが共通の軸線を中心として中心合わせされているスリーブと、光学装置ハウジングに対して相対的に回転自在であるようにポストに連結されているノブと、スリーブに係合させられており且つノブと共に回転するように構成されているナットと、共通の軸線に対して概ね平行であるねじ軸線を有する調整ねじであって、ねじ軸線に沿ってナットに係合するように構成されており、及び、ねじ軸線を中心とした調整ねじの第１の方向の回転が、ナット及びスリーブ上の嵌合ねじ山の間の摩擦抵抗を増大させるように、ナットに対して力を及ぼす調整ねじとを有する装置に関する。一例では、ナット及びスリーブの各々は嵌合ねじ山を有し、及び、位置調整要素の第２の方向の回転が、ナット及びスリーブ上の嵌合ねじ山の間の摩擦抵抗を減少させる。別の例では、第２の方向の回転が、ナットの少なくとも一部分から調整ねじを完全に釈放する。さらに別の例では、調整ねじは、ナットにねじ込み係合させられており、及び、ナットの中に受け入れられる。さらに別の例では、ナットはスリーブの周囲に配置されている。
【０００６】
上記態様の別の例では、ナットは分割ナットである。一例では、調整ねじは、ノブの頂部部分から作動させられる。別の例では、調整ねじは、歯車を手動で回転させることによって作動させられる。
【０００７】
別の態様では、本技術は、光学装置ハウジングと、この光学装置ハウジングから延びる軸線を中心として回転自在であるポストと、光学装置ハウジングから固定された形で延びており且つポストの周りに配置されているスリーブであって、ポストとスリーブとが１つの軸線を中心として中心合わせされているスリーブと、光学装置ハウジングに対して相対的に回転自在であるようにポストに連結されているノブと、スリーブに回転自在に係合させられており且つ第１の部分と第２の部分とを有する分割ナットと、この分割ナットに係合させられている調整ねじであって、この調整ねじの回転が、軸線に対して平行な少なくとも１つの方向に分割ナットを移動させるが、分割ナットを回転させることはない調整ねじとを有する装置に関する。一例では、第１の調整ねじの位置において、この調整ねじは、第１の部分の中にねじ込み式に受け入れられ、及び、第２の部分から釈放されている。別の例では、第２の調整ねじの位置において、この調整ねじは、第１の部分の中にねじ込み式に受け入れられ、及び、分割ナット及びスリーブの嵌合ねじ山の間に第１の摩擦抵抗を生じさせるように第２の部分と係合させられている。さらに別の例では、第３の調整ねじの位置において、この調整ねじは、第１の部分の中にねじ込み式に受け入れられ、及び、分割ナット及びスリーブの嵌合ねじ山の間に第２の摩擦抵抗を生じさせるように第２の部分と係合させられており、及び、この第２の摩擦抵抗は第１の摩擦抵抗よりも大きい。
【０００８】
現時点で好ましい実施形態が図面に示されているが、本技術が、これらの図面に示されている正確な構成及び手段だけには限定されないということを理解されたい。
【図面の簡単な説明】
【０００９】
【図１Ａ】銃弾の飛行に対する重力の影響の単純化された説明図を示す。
【図１Ｂ】銃弾の飛行に対する重力の影響の単純化された説明図を示す。
【図２Ａ】光学装置の部分斜視図を示す。
【図２Ｂ】光学装置の部分分解組立斜視図を示す。
【図３Ａ】光学装置のための可変摩擦ノブの部分分解組立斜視図を示す。
【図３Ｂ】光学装置のための可変摩擦ノブの分解組立斜視図を示す。
【図４】光学装置のための可変摩擦ノブの断面図を示す。
【図５Ａ】図４の可変摩擦ノブの拡大部分断面図を示す。
【図５Ｂ】図４の可変摩擦ノブの拡大部分断面図を示す。
【図６】光学装置のための可変摩擦ノブの別の例の拡大部分断面図を示す。
【発明を実施するための形態】
【００１０】
本技術は、小火器又は他の装置において、適正に狙いを定めるための、本明細書にその開示の全体が引例として援用されている米国特許第７，７０３，６７９号明細書に開示されている照準システム及び方法のような）既知の照準システム及び方法の新たな改良された実施形態に関する。本明細書で使用される場合に、術語「照準システム」は、広義に解釈されるべきであり、及び、小火器、ライフル銃、拳銃、又は、他の装置のような弾丸発射システムにおいて照準を合わせる際に人間を補助する、１つ又は複数の光学装置及び処理システムとして定義される。この開示されている技術は、アドレス可能な照準要素を有する照準システム又は光学装置とアドレス可能な照準要素を含まない照準システム又は光学装置とを含む、任意のタイプの照準システム又は光学装置に適用される。この適用においては、ライフル銃望遠照準器が例示的な具体例として説明される。
【００１１】
一般的に射撃手と呼ばれている、ライフル銃又は他の銃器を使用する狩猟家、狙撃者、又は、他の人間が、標的を光学的に捕捉するために、及び、照準精度を向上させるために、ライフル銃望遠照準器のような光学照準システムを使用する。図２Ａと図２Ｂは、ライフル銃望遠照準器の形態である光学装置２００の部分斜視図と部分分解組立斜視図とを示す。これらの２つの図を同時に説明する。光学装置２００は、光学装置の１つ又は複数の設定を調整するために使用される調整ノブ２０２を使用する。光学装置２００は、縦軸線Ａと、接眼レンズ端部２０６と、対物レンズ端部２０８とを有するハウジング２０４を含む（接眼レンズのベルハウジングとレンズは図２Ａと図２Ｂには示されていない）。基準マーク２１０が、ノブマウント（ｎｏｂ  ｍｏｕｎｔ）２１２の付近のハウジング２０４の表面上に配置されている。ノブマウント２１２はハウジング２０４に固定されており、及び、調整ポスト２１４に取り付けられる時にノブ２０２が上に載る場所を画定する。調整ポスト２１４は、ノブ２０２によって画定される開口部２１８内に配置されている複数の止めねじ（図示されていない）を受け入れるようにサイズ決定されている首部２１６を含む。調整ポスト２１４はハウジング２０４に対して回転自在に取り付けられている。ノブ２０２が調整ポスト２１４に固定され終わると、ノブ２０２の回転が、ハウジング２０４内に配置されている照準システムを調整するように調整ポスト２１４を回転させる（例えば、当業で公知であるように、レンズ又はレチクルを移動させるか、又は、照準システムの他の光学設定を変化させる）。
【００１２】
ノブマウント２１２は、ハウジング２０４に対して相対的に回転しないように（例えば、ノブマウント２１２を介して）ハウジング２０４に対して不動の形で固定されているスリーブ２２０を含んでもよい。クロッキングピン（ｃｌｏｃｋｉｎｇ  ｐｉｎ）２２２がスリーブ２２０から延び、及び、ノブ２０２の回転時に移動しないように固定されている。クロッキングピン２２２は、ノブ２０２の過回転を防止する。ノブ２０２は、典型的には、ノブ２０２の外周部の周りに配置されている照合マーク又はライン（ｔｉｃｋ  ｍａｒｋｓ  ｏｒ  ｌｉｎｅｓ）の形態である、複数の基準マーキング２２４を含む。ノブ２０２の回転が、異なる基準マーキング２２４をハウジング２０４上の基準マーク２１０に位置合わせし、したがって、光学装置２００の設定の視覚的表示を射撃者に対して提供する。（ハウジング２０４に対する相対的な）ノブ２０２の所望の位置が設定され終わると、ノブ２０２の偶発的な回転を防止するために、ノブ２０２のこの位置を射撃者が固定することが望ましいだろう。このような偶発的な回転は、気づかれなければ、光学装置２００の設定を変化させることがあり、場合によっては、関連したライフル銃によるその後での不正確な射撃の原因となるだろう。
【００１３】
したがって、本明細書で説明している光学装置は、ノブの摩擦抵抗を選択的に増大又は減少させる構造を使用することによって、回転に対して可変的に抵抗するように構成されているノブを使用する。このことが、ノブの回転の可能性を減少させるか又は防止することが可能である。さらに、特定の射撃者による要求又は所望に応じてノブが容易に又は困難さを伴って回転させられるように、摩擦抵抗が変化させられてもよい。例えば、（例えば、成功した射撃の後に）ノブの目盛りをゼロにする時に、射撃者は、より速い回転を可能にするために、ノブに対して追加的な抵抗をわずかしか加えないか又は全く加えないことを望むことがある。ノブの精密な回転が必要とされる時には、射撃者は、例えばノブの偶発的な過回転を防止するために、ノブの摩擦抵抗を所望の設定にセットしてもよい。所望の位置が得られると、偶発的な回転に対抗して所望の位置にノブを固定するように、摩擦抵抗がさらに増大させられてもよい。しかし、本明細書で説明される可変摩擦ノブは、ひとたび設定された後には、必ずしも回転を完全に阻止しなければならないということではない。先行技術において使用可能ないわゆる「ロッキングノブ（ｌｏｃｋｉｎｇ  ｋｎｏｂ）」が、ノブに対して加えられる大きな力がロッキング機構を破壊して修理又は交換を必要とする損傷をノブに与える形で、物理的に係合する要素を含むことが多い。しかし、本明細書で説明されている可変摩擦ノブは、特定の力に至るまで、加えられる回転に抵抗する。しかし、より大きい力が、ノブの回転に抵抗する機構に損傷を与えることなしに、ノブの回転を生じさせるだろう。したがって、可変摩擦ノブは、より融通性が高く、且つ、多くの先行技術のロッキングノブに比べて損傷を受けにくい。
【００１４】
その次に、図２Ａと図２Ｂとに関して、光学装置は、この場合にはノブ２０２から延びる回転自在なアームの形態である、摩擦調整要素２２６を含む。ノブ２０２は、摩擦調整要素２２６とは別個に回転させられてもよい（例えば、ノブ２０２の回転が、摩擦調整要素２２６を回転させるが、この摩擦調整要素２２６を作動させない）。摩擦調整要素２２６は、ノブ２０２の回転と共に回転するが、さらには、起動時に、ノブ２０２とハウジング２０４との両方に対して相対的に回転してもよい。調整要素２２６のこうした回転が、ノブ２０２の摩擦抵抗を調整するが、ノブ２０２自体は回転させない。さらに、ノブ２０２の所望の位置が得られると、調整要素２２６は、ノブ２０２自体の回転なしに、その所望の位置を維持するのに充分な摩擦レベルを設定するために回転させられてもよい。図２Ａと図２Ｂでは、光学装置２００上の複数のノブの中の単一のノブ２０２だけが、摩擦調整要素２２６を含む形で示されている。特定の光学装置上の任意の個数のノブが、本明細書で説明されている技術を取り入れてもよい。
【００１５】
図３Ａと図３Ｂは、それぞれに光学装置２００のための可変摩擦ノブ３００の部分分解組立斜視図と分解組立斜視図を示す。図３Ａと図３Ｂとが概ね同時に説明される。さらに、文脈のために、光学装置２００の一部分、特に、ハウジング２０４と、固定ノブマウント２１２と、固定ノブマウント２１２から延びる構成要素とが示されている。さらに明確に述べると、スリーブ２２０とクロッキングピン２２２とが、固定された形でノブマウント２１２から延びる。ポスト２１４がスリーブ２２０から回転自在に延びる。ノブ３００の構成要素がそれを中心として中心合わせされている共通中心軸線ＡCがポスト２１４によって画定されている。
【００１６】
可変摩擦ノブ３００は、把持部分３０４を有するノブハウジング３０２を含み、この把持部分３０４は、安全確実な把持表面を提供するために、ロートレック付けされるか又は他の形で表面模様が付けられてもよい。上述したように、ノブ３０２は、さらに、止めねじ３０７を受け入れるための複数の開口部３０６を画定する。基準マーキング３０８も、ハウジング３０２の外側表面３１０上に描かれてもよい。基準マーキング３０８は、さらに、英数字表示又は他のシンボルを含んでもよい。別の例では、ノブ３００は、米国特許第９，４２３，２１５号明細書に説明されているマルチターンノブ（ｍｕｌｔｉ−ｔｕｒｎ  ｋｎｏｂ）技術を組み入れてもよく、この特許文献の開示内容はその全体において本明細書に引例として援用されている。ノブハウジング３０２の頂部プレート３１２が、現場において見いだされることがある埃、ゴミ、雨水、又は、他の汚染物質の侵入を防止するために、ノブ３００を封止する。調整要素３２６は、頂部プレート３１２によって画定されている開口部３１１の中を通って延びる。
【００１７】
可変摩擦ノブ３００は、さらに、ノブハウジング３０２の回転に対する摩擦抵抗の量を変化させるために使用されてもよい歯車機構３１１を含み、この歯車機構３１１の幾つかの利益と利点とが上述されている。歯車機構３１１は、調整要素３２６を含み、及び、この調整要素３２６の回転が太陽歯車３２４を回転させ、及び、この太陽歯車３２４の回転が１つ又は複数の遊星歯車３１３を回転させる。遊星歯車３１３は、支持プレート３１７を貫通しており且つ（この場合には分割リング又はナットである）摩擦要素３１４に少なくとも部分的にねじ込み係合している調整ねじ３１５を駆動する。摩擦要素３１４は概ねリング形であり、及び、スリーブ２２０の外部上の対応する外側表面２５０に密に係合している内側表面３１６を有する。したがって、ハウジング３０２の回転が、軸線ＡCを中心としたねじ３１５の対応する回転を生じさせ、このことが、さらには、軸線ＡCを中心として摩擦要素３１４を回転させる。別の例では、内側表面３１６と外側表面２５０は、いわゆる「スロースレッド（ｓｌｏｗ  ｔｈｒｅａｄ）」に対してねじ込み係合させられていてもよい。このようなねじ山付き嵌合表面３１６、２５０が、ねじ３１５上のねじ山３１９と摩擦要素３１４上のねじ山３２１との間の結合を生じさせることなしに、摩擦要素３１４がスリーブ２２０の周りを回転し且つ軸線ＡCに対して概ね平行に移動することを可能にする。これらのねじ山３１９、３２１は、「ファスター（ｆａｓｔｅｒ）」ねじ山を使用する。調整要素３２６の回転が太陽歯車３２４を回転させ、その次に、太陽歯車３２４の回転が遊星歯車３１３を回転させる。ねじ３１５と摩擦要素３１４との間のねじ込み係合３１９、３２１によって、調整要素３２６の回転が、ねじ３１５を下方に駆動するだろう。したがって、調整要素３２４の第１の方向の回転Ｒが、ねじ３１５の第１の直線移動Ｍを生じさせ、一方、第２の反対方向の回転Ｒ'が、ねじ３１５の第２の直線移動Ｍ'を生じさせる。これらの回転Ｒ、Ｒ’と対応する移動Ｍ、Ｍ’が、より詳細に後述するように、ノブ３００の摩擦抵抗を調整する。太陽歯車３２４を回転Ｒ、Ｒ’させるために、射撃者は、開口部３１１を通って突き出る調整要素３２６に力を加え、このことが容易な到達と回転Ｒ、Ｒ’とを可能にする。
【００１８】
さらに詳細に後述するように、スリーブ２２０に対する摩擦要素３１４の相対的な位置が、回転に対するノブ３００の摩擦抵抗を決定する。摩擦要素３１４の内側表面３１６が、スリーブ２２０の外側表面２５０に対して相対的に中立位置にある時には、追加の摩擦抵抗がノブ３００に加えられない。このことは、ねじ山が両方の表面上に配置されている時と同じである。（ねじ３１５の回転と、これに対応するねじ山３１９、３２１の係合とによって）内側表面３１６が外側表面２５０に接触し始めるにつれて、より大きい力が外側表面２５０に加えられ、及び、ノブ３００の回転に対する抵抗が増大する。こうした様々な力を均衡させるために、ノブ３００の構成要素が、ポスト２１４から延びる共通軸線ＡCを中心として概ね中心合わせされるように配置されている。より明確に述べると、ポスト２１４は共通軸線ＡCを中心として回転し、一方、スリーブ２２０は、ポスト２１４の周りに配置されており、且つ、軸線ＡCを中心として回転しないようにノブマウント２１２に不動的に固定されている。摩擦要素３１４はスリーブ２２０の周りに配置されており、及び、スリーブ２２０に係合させられている。太陽歯車３２４は軸線ＡC上で中心合わせされており、及び、３つのねじ３１５が軸線ＡCを中心として対称的に配置されている。他の例では、より多い個数又はより少ない個数のねじ３１５が使用されることがある。
【００１９】
図４は、図３Ａと図３Ｂとに示されている可変摩擦ノブのような、可変摩擦ノブ３００の断面図である。図４に示されている幾つかの構成要素は、先行する図面において上述されており、したがって、必ずしもさらに説明されることはない。ノブマウント２１２は、回転しないように光学装置（図示されていない）のハウジングに固定されている。延長要素４０２がノブマウント２１２を貫通し、光学装置ハウジングの中に延びる。延長要素４０２の移動（特定の用途のために必要とされるか又は所望される回転移動又は直線移動）が光学装置の光学的設定を調整する。この示されている例では、止めピン４０４がポスト２１４から延長要素４０２の中へと延び、したがって、ポスト２１４の回転が延長要素４０２に伝達され、したがって延長要素４０２の対応する回転を生じさせる。クリッカー（ｃｌｉｃｋｅｒ）４０８が、ばね４１０によって軸線ＡCから離れるように偏倚させられており、したがって、戻り止め表面４１２の中に偏倚させられている。ハウジング３０２の外側表面３１０上の基準マーキング（図示されていない）が光学装置ハウジング上の基準マーク（図示されていない）に整合するように、クリッカー４０８と戻り止め表面４１２とがノブハウジング３０２の位置を設定することを補助する。
【００２０】
ポスト２１４はスリーブ２２０内から上方に延び、及び、共通軸線ＡCを中心としてスリーブ２２０に対して相対的に回転するように構成されている。ノブハウジング３０２は、ポスト２１４内の首部２１６に係合するように開口部３０６の中に挿入されている止めねじ（図示されていない）を介して、ポスト２１４に固定されている。複数の止めねじが使用されてもよい。上述したように、スリーブ２２０は、摩擦要素３１４上の嵌合ねじ山３１６と係合するねじ山２５０を有する。これらのねじ山３１６、２５０は、図を明瞭にするために、図示されていない。調整要素３２６は、ノブハウジング３０２の回転に対する摩擦抵抗の調整を可能にするために、ノブハウジング３０２及びポスト２１４とは別個に、手動で回転可能であるように構成されている。図４では、摩擦要素３１４は、第１の部分３１４ａと第２の部分３１４Ｂとを有する部分的に分割されたナットである。ねじ３１５が第１の部分３１４ａを貫通する。調整要素３２６が作動位置にない時には、摩擦要素３１４によってノブハウジング３０２に加えられる追加的な摩擦抵抗が存在せず、及び、ノブハウジング３０２は回転が最も容易である。調整部材３２６は軸線ＡCを中心として回転Ｒさせられ、ねじ３１５は軸線ＡSを中心として回転し、ねじ山３１９、３２１が係合し、及び、ねじ３１５は、ねじ３１５が第２の部分３１４ｂに接触するまで、下方に移動Ｍする。接触が生じると、ねじ３１５によって加えられる圧力が、概ね共通軸線ＡCに沿って且つ共通軸線ＡCに対して平行に、第１の部分３１４ａを上方に移動させ、且つ、第２の部分３１４ｂを下方に移動させる。ねじ山３１６、２５０が摩擦要素３１４とスリーブ２２０との間で係合するので、この係合が、ノブ３０２の回転に対する摩擦抵抗を増大させる。調整要素３２４のさらなる回転Ｒが摩擦抵抗を増大させる。
【００２１】
上述したように、ねじ山３１６、２５０の相互間の摩擦が増大し、及び、これらの要素が、デテントとロッキング突起等のような係合部品を使用しないので、十分な回転力が、設定された摩擦抵抗に依然として打ち勝つだろう。したがって、ノブ３００は、（例えば現場でのライフル銃の移動中の）偶発的な接触のために意図せずに生じることがある回転に抵抗するが、大きな回転力がノブハウジング３０２に加えられる場合に損傷を被ることがないだろう。射撃者が摩擦抵抗を減少させようと望む時には、ねじ３１５を上方に移動Ｍ’させて、ねじ山３１６、２５０の相互間の摩擦接触を減少させるために、調整要素３２６が反対方向に回転Ｒ’させられる。
【００２２】
図５Ａと図５Ｂは、図４の可変摩擦ノブ３００の拡大部分断面図を示す。図５Ａと図５Ｂに示されている構成要素の幾つかは、先行の図において説明されており、したがって、必ずしもさらに説明されることはない。図５Ａは、追加的な摩擦抵抗を及ぼすことがないように所定位置にある摩擦要素３１４を示す。したがって、ノブ３００は、共通軸線（図示されていない）を中心として自由に回転する。調整要素（図示されていない）の回転が、ねじＡSの周りでねじ３１５を回転Ｒさせ、こうしてそのねじを下方に移動Ｍさせる。ねじ３１５が摩擦要素３１４の第２の部分３１４ｂに接触すると、表面３１６、２５０の相互間の増大した摩擦のせいで、摩擦要素３１４とスリーブ２２０との間の摩擦抵抗が増大する。第１の部分３１４ａと第２の部分３１４ｂとがねじ３１５によって互いから離れる形で押されているので、表面３１６、２５０の相互間の摩擦が増大する。表面３１６、２５０の相互間の摩擦の増大が、ノブハウジング３０２の回転に対する対応する抵抗の増大を生じさせる。調整要素はさらに回転させられてもよく、したがって、ねじ３１５のより大きな回転Ｒ＋を生じさせ、この結果として、ねじ３１５の移動Ｍ＋と、したがって、ねじ山３１６、２５０の相互間のより大きい摩擦とを生じさせる。このことが、回転に対するノブハウジング３０２の摩擦抵抗を増大させる。反対方向の調整要素の回転が、ねじ３１５の反対方向の回転Ｒ−と、ねじ３１５の反対方向の移動Ｍ−とを生じさせる。調整ねじ３１５のさらなる反対方向の回転Ｒ−が、図５Ａに示されている状態にねじ３１５を戻し、この状態ではねじ３１５は第２の部分３１４ｂから完全に解放されている。
【００２３】
図６は、光学装置のための可変摩擦ノブ５００の別の例の、拡大部分断面図を示す。調整要素（図示されていない）の回転が、ねじＡSを中心としてねじ５０２を回転Ｒさせ、したがって、ねじ５０２を下方に移動Ｍさせる。しかし、この例では、ねじ５０２は、摩擦要素５０４の第１の部分５０４ａの中を通過し、その代わりに、摩擦要素５０４の第２の部分５０４ｂにねじ込み係合させられている。ねじ５０２が回転するのに応じて、第２の部分５０４ｂは第１の部分５０４ａに向かって引っ張られ、及び、表面５０８、５１０の相互間の摩擦の増大によって、摩擦要素５０４とスリーブ５０６との間の摩擦抵抗が増大する。表面５０８、５１０の相互間の摩擦の増大は、回転に対するノブハウジング５１２の抵抗の対応する増大を生じさせる。調整要素はさらに回転させられ、したがって、ねじ５０２のより大きい回転を生じさせ、この結果として、ねじ５０２の移動を生じさせ、したがって、表面５０８、５１０の相互間のより大きな摩擦を生じさせるだろう。反対方向の調整要素の回転は、ねじ５０２の反対方向の回転Ｒ−と、ねじ５０２の反対方向の移動Ｍ−とを生じさせる。
【００２４】
本明細書で示されている可変摩擦ノブの製造に使用される材料は、光学装置のためのノブの製造に典型的に使用される材料に類似している。例えば、ノブハウジングと他の構成要素はアルミニウム又は他の頑丈な金属であってもよく、及び、腐食に耐えるために粉体被覆されるか又は他の形で処理されてもよい。調整要素は、ＰＶＣ、ＡＢＳ、ナイロン、又は、他のプラスチックのような、低摩擦材料であってもよい。さらに、金属が使用されてもよく、及び、調整要素と摩擦要素との間の境界面の滑らかな移動を確実なものにするために、調整要素と摩擦要素との間の境界面において、テフロン（登録商標）又は他の低摩擦被覆で被覆されてもよい。摩擦要素は、部品の相互間の分子結合を促進するために、焼結金属、非被覆アルミニウム、又は、他の類似の金属のような、より高摩擦性の材料を含んでもよい。
【００２５】
本技術の例示的な好ましい実施形態と見なされるべきものを本明細書で説明してきたが、本技術の他の変更が、本明細書の教示から当業者に明らかになるだろう。本明細書に開示されている特定の製造方法と形状は本質的に例示的であって、限定的なものと見なされるべきではない。したがって、本技術の着想と範囲とに含まれるすべてのこうした変更が、添付されている特許請求の範囲の請求項において保証されることが望ましい。したがって、特許証によって保証されることが好ましいものが、次の特許請求の範囲の請求項に定義されており且つ区別されている技術とそのすべての等価物である。
【符号の説明】
【００２６】
２００      光学装置
２０２      調整ノブ
２０４      ハウジング
２０６      接眼レンズ端部
２０８      対物レンズ端部
２１０      基準マーク
２１２      ノブマウント
２１４      調整ポスト
２２０      スリーブ
２２２      クロッキングピン
２２４      基準マーキング
２２６      摩擦調整要素
【図１Ａ】
2018071965.tif 000003
【図１Ｂ】
2018071965.tif 000004
【図２Ａ】
2018071965.tif 000005
【図２Ｂ】
2018071965.tif 000006
【図３Ａ】
2018071965.tif 000007
【図３Ｂ】
2018071965.tif 000008
【図４】
2018071965.tif 000009
【図５Ａ】
2018071965.tif 000010
【図５Ｂ】
2018071965.tif 000011
【図６】
2018071965.tif 000012